(57)【要約】【課題】  動力発生ユニット等から発生する廃熱を暖房用の熱源として有効利用することにより、快適な暖房、省資源化及び高加速動力性能の向上を実現させることができる廃熱回収空調装置及びこれを備えた鉄道車両を提供する。【解決手段】  鉄道車両の動力発生ユニットから発生する廃熱を回収するとともに、回収した廃熱で暖房を行う廃熱回収空調装置８であって、動力発生ユニットを冷却するための冷却水を流通させる冷却水流路１１と、冷却水流路１１に接続され動力発生ユニットから発生する廃熱により加温された冷却水と熱交換を行って加熱される温水ヒータコア１２と、冷媒を流通させる冷媒流路２１と、冷却水流路１１及び冷媒流路２１に接続され動力発生ユニットから発生する廃熱により加温された冷却水と冷媒との間で熱交換を行う水熱交換器１３と、水熱交換器１３により加温された冷媒と熱交換を行って空気を加熱する室内熱交換器２３と、を有する。【選択図】図２
2006248275.tif 000002
【特許請求の範囲】
【請求項１】
車輪を回転駆動するための駆動力を発生させる動力発生ユニット及び／又は各種サービス機器に供給される電力を発生させる給電ユニットを備える鉄道車両の前記動力発生ユニット及び／又は前記給電ユニットから発生する廃熱を回収するとともに、回収した廃熱で暖房を行う廃熱回収空調装置であって、
前記動力発生ユニット及び／又は前記給電ユニットを冷却するための冷却水を流通させる冷却水流路と、
前記冷却水流路に接続され前記動力発生ユニット及び／又は前記給電ユニットから発生する廃熱により加温された前記冷却水と熱交換を行って加熱される温水ヒータコアと、
を有することを特徴とする廃熱回収空調装置。
【請求項２】
車輪を回転駆動するための駆動力を発生させる動力発生ユニット及び／又は各種サービス機器に供給される電力を発生させる給電ユニットを備える鉄道車両の前記動力発生ユニット及び／又は前記給電ユニットから発生する廃熱を回収するとともに、回収した廃熱で暖房を行う廃熱回収空調装置であって、
前記動力発生ユニット及び／又は前記給電ユニットを冷却するための冷却水を流通させる冷却水流路と、
冷媒を流通させる冷媒流路と、
前記冷却水流路及び前記冷媒流路に接続され前記動力発生ユニット及び／又は前記給電ユニットから発生する廃熱により加温された前記冷却水と前記冷媒との間で熱交換を行う水熱交換器と、
前記水熱交換器により加温された冷媒と熱交換を行って空気を加熱する暖房用室内熱交換器と、
を有することを特徴とする廃熱回収空調装置。
【請求項３】
冷媒を流通させる冷媒流路と、
前記冷却水流路及び前記冷媒流路に接続され前記動力発生ユニット及び／又は前記給電ユニットから発生する廃熱により加温された前記冷却水と前記冷媒との間で熱交換を行う水熱交換器と、
前記水熱交換器により加温された冷媒と熱交換を行って空気を加熱する暖房用室内熱交換器と、を有し、
前記動力発生ユニット及び／又は前記給電ユニットから発生する廃熱により加温された前記冷却水の温度が所定の第１閾値以上である場合には、前記温水ヒータコアによって加熱された空気により暖房を行い、
前記動力発生ユニット及び／又は前記給電ユニットから発生する廃熱により加温された前記冷却水の温度が所定の第２閾値（＜第１閾値）以上前記第１閾値未満である場合には、前記温水ヒータコア及び前記暖房用室内熱交換器によって加熱された空気により暖房を行い、
前記動力発生ユニット及び／又は前記給電ユニットから発生する廃熱により加温された前記冷却水の温度が前記第２閾値未満である場合には、前記暖房用室内熱交換器によって加熱された空気により暖房を行うことを特徴とする請求項１に記載の廃熱回収空調装置。
【請求項４】
前記冷媒流路内の冷媒と外気との間で熱交換を行って冷媒を冷却する室外熱交換器と、
前記室外熱交換器により冷却された冷媒と熱交換を行って空気を冷却する冷房用室内熱交換器と、
前記動力発生ユニット及び／又は前記給電ユニットから発生する廃熱により前記冷媒流路内の冷媒が加温されるのを防止する加温防止手段と、
を有することを特徴とする請求項２又は３に記載の廃熱回収空調装置。
【請求項５】
前記加温防止手段は、
前記動力発生ユニット及び／又は前記給電ユニットから発生する廃熱により加温された前記冷却水が前記水熱交換器に達するのを阻止する温水制御弁を有することを特徴とする請求項４に記載の廃熱回収空調装置。
【請求項６】
車輪を回転駆動するための駆動力を発生させる動力発生ユニットと、
請求項１から５の何れか一項に記載の廃熱回収空調装置と、
を備えることを特徴とする鉄道車両。
【請求項７】
前記動力発生ユニットは、
エンジンと、前記エンジンの回転力で駆動されて電力を発生させる発電機と、を有し、
前記発電機によって発生した駆動電力を前記車輪の回転駆動力に変換する動力変換ユニット備えることを特徴とする請求項６に記載の鉄道車両。
【請求項８】
前記動力発生ユニットは、
エンジンを有し、
前記エンジンの駆動力を前記車輪に伝達して前記車輪を回転駆動する動力伝達装置を備えることを特徴とする請求項６に記載の鉄道車両。
【請求項９】
各種サービス機器に供給される電力を発生させる給電ユニットと、
請求項１から５の何れか一項に記載の廃熱回収空調装置と、
を備えることを特徴とする鉄道車両。
【発明の詳細な説明】
【技術分野】
【０００１】
本発明は、廃熱回収空調装置及び鉄道車両に関し、特に、動力発生ユニットや給電ユニットから発生する廃熱の有効利用を実現させる廃熱回収空調装置及びこれを備えた鉄道車両に関する。
【背景技術】
【０００２】
現在、ディーゼルエンジンにより発生する駆動力で車輪を回転駆動する鉄道車両（気動車）が実用化されている。かかる気動車は排気ガスや騒音・振動を発生させるものであるため、環境への悪影響や燃料消費の増大が懸念されている。
【０００３】
このため、近年においては、エンジンの回転力で発電機を駆動して電力を発生させるとともに、蓄電装置で回生電力を回収し、これら発電機及び蓄電装置から供給される電力で電動機を駆動し、この電動機の駆動力で車輪を回転駆動するハイブリッド型の鉄道車両が提案されている（例えば、特許文献１参照。）。
【特許文献１】特開２００４−３１２９５３号公報
【発明の開示】
【発明が解決しようとする課題】
【０００４】
ところで、前記したような鉄道車両を起動させると、エンジンや発電機から構成される「動力発生ユニット」から、相当量の廃熱が発生する。また、鉄道車両には、各車両のサービス機器（電灯や空調装置等）に電力を供給するための「給電ユニット」が設けられる場合があり、この「給電ユニット」からも相当量の廃熱が発生する。かかる廃熱を暖房用の熱源として有効利用することができれば、暖房用電力の消費を低減することができ、動力発生ユニットで発生した駆動力を車輪の回転駆動力に充分利用することができるため、高加速動力性能の向上が可能となる。また、余分に駆動力を発生させる必要もなくなるので、エンジンの燃料の消費量を削減することもできるため、省資源化が可能となる。
【０００５】
しかし、動力発生ユニットや給電ユニットから発生する廃熱は、ユニットの負荷変動に伴って温度が変化し、低温となる場合もあるため、そのままでは暖房用の熱源として利用することはできなかった。一方、電力によって発熱する電熱器を別途設けて電気暖房を行う場合には、その電力相当の駆動力が暖房用に消費されてしまうため、高加速動力性能を十分に得ることができなくなるとともに、燃料の消費量が大きくなるという問題があった。
【０００６】
本発明の課題は、動力発生ユニットや給電ユニットから発生する廃熱を暖房用の熱源として有効利用することにより、「快適な暖房」、「省資源化」及び「高加速動力性能の向上」を実現させることができる廃熱回収空調装置及びこれを備えた鉄道車両を提供することである。
【課題を解決するための手段】
【０００７】
以上の課題を解決するため、請求項１に記載の発明は、
車輪を回転駆動するための駆動力を発生させる動力発生ユニット及び／又は各種サービス機器に供給される電力を発生させる給電ユニットを備える鉄道車両の前記動力発生ユニット及び／又は前記給電ユニットから発生する廃熱を回収するとともに、回収した廃熱で暖房を行う廃熱回収空調装置であって、
前記動力発生ユニット及び／又は前記給電ユニットを冷却するための冷却水を流通させる冷却水流路と、
前記冷却水流路に接続され前記動力発生ユニット及び／又は前記給電ユニットから発生する廃熱により加温された前記冷却水と熱交換を行って加熱される温水ヒータコアと、
を有することを特徴とする。
【０００８】
請求項１に記載の発明によれば、廃熱回収空調装置は、動力発生ユニット及び／又は給電ユニットから発生する廃熱により加温された冷却水と熱交換を行って加熱される温水ヒータコアを有し、この温水ヒータコアによって加熱された空気により暖房を行うことができる。すなわち、動力発生ユニット及び／又は給電ユニットから発生する廃熱のエネルギを温水ヒータコアに蓄え、この温水ヒータコアによって安定した快適な温風暖房を実現させることができる。また、電熱器を別途設けて電気暖房を行う必要がなくなるので、省資源化及び高加速動力性能の向上を実現させることができる。
【０００９】
請求項２に記載の発明は、
車輪を回転駆動するための駆動力を発生させる動力発生ユニット及び／又は各種サービス機器に供給される電力を発生させる給電ユニットを備える鉄道車両の前記動力発生ユニット及び／又は前記給電ユニットから発生する廃熱を回収するとともに、回収した廃熱で暖房を行う廃熱回収空調装置であって、
前記動力発生ユニット及び／又は前記給電ユニットを冷却するための冷却水を流通させる冷却水流路と、
冷媒を流通させる冷媒流路と、
前記冷却水流路及び前記冷媒流路に接続され前記動力発生ユニット及び／又は前記給電ユニットから発生する廃熱により加温された前記冷却水と前記冷媒との間で熱交換を行う水熱交換器と、
前記水熱交換器により加温された冷媒と熱交換を行って空気を加熱する暖房用室内熱交換器と、
を有することを特徴とする。
【００１０】
請求項２に記載の発明によれば、廃熱回収空調装置は、動力発生ユニット及び／又は給電ユニットから発生する廃熱により加温された冷却水と冷媒との間で熱交換を行う水熱交換器と、水熱交換器により加温された冷媒と熱交換を行って空気を加熱する暖房用室内熱交換器と、を有し、この暖房用室内熱交換器によって加熱された空気により暖房を行うことができる。すなわち、動力発生ユニット及び／又は給電ユニットから発生する廃熱のエネルギを、水熱交換器を介して暖房用室内熱交換器に蓄え、この暖房用室内熱交換器によって安定した快適な温風暖房を実現させることができる。また、電熱器を別途設けて電気暖房を行う必要がなくなるので、省資源化及び高加速動力性能の向上を実現させることができる。
【００１１】
請求項３に記載の発明は、請求項１に記載の廃熱回収空調装置において、
冷媒を流通させる冷媒流路と、
前記冷却水流路及び前記冷媒流路に接続され前記動力発生ユニット及び／又は前記給電ユニットから発生する廃熱により加温された前記冷却水と前記冷媒との間で熱交換を行う水熱交換器と、
前記水熱交換器により加温された冷媒と熱交換を行って空気を加熱する暖房用室内熱交換器と、を有し、
前記動力発生ユニット及び／又は前記給電ユニットから発生する廃熱により加温された前記冷却水の温度が所定の第１閾値以上である場合には、前記温水ヒータコアによって加熱された空気により暖房を行い、
前記動力発生ユニット及び／又は前記給電ユニットから発生する廃熱により加温された前記冷却水の温度が所定の第２閾値（＜第１閾値）以上前記第１閾値未満である場合には、前記温水ヒータコア及び前記暖房用室内熱交換器によって加熱された空気により暖房を行い、
前記動力発生ユニット及び／又は前記給電ユニットから発生する廃熱により加温された前記冷却水の温度が前記第２閾値未満である場合には、前記暖房用室内熱交換器によって加熱された空気により暖房を行うことを特徴とする。
【００１２】
請求項３に記載の発明によれば、廃熱回収空調装置は、動力発生ユニット及び／又は給電ユニットから発生する廃熱により加温された冷却水の温度が所定の第１閾値（例えば約８０℃）以上である場合に、「温水ヒータコア」によって加熱された空気により暖房を行い、冷却水の温度が所定の第２閾値（例えば約６０℃）以上第１閾値（約８０℃）未満である場合に、「温水ヒータコア」及び「暖房用室内熱交換器」によって加熱された空気により暖房を行い、冷却水の温度が第２閾値（約６０℃）未満である場合に、「暖房用室内熱交換器」によって加熱された空気により暖房を行うことができる。従って、動力発生ユニット及び／又は給電ユニットから発生する廃熱の温度が変動したり低温となったりした場合においても、きわめて安定的な温風暖房を実現させることができる。また、動力発生ユニット及び／又は給電ユニットから発生する廃熱の温度が高い（第１閾値以上）場合には、暖房用室内熱交換器を作動させる必要がないので、その分の電力を削減することができ、省資源化が可能となる。
【００１３】
請求項４に記載の発明は、請求項２又は３に記載の廃熱回収空調装置において、
前記冷媒流路内の冷媒と外気との間で熱交換を行って冷媒を冷却する室外熱交換器と、
前記室外熱交換器により冷却された冷媒と熱交換を行って空気を冷却する冷房用室内熱交換器と、
前記動力発生ユニット及び／又は前記給電ユニットから発生する廃熱により前記冷媒流路内の冷媒が加温されるのを防止する加温防止手段と、
を有することを特徴とする。
【００１４】
請求項４に記載の発明によれば、廃熱回収空調装置は、冷媒流路内の冷媒と外気との間で熱交換を行って冷媒を冷却する室外熱交換器と、室外熱交換器により冷却された冷媒と熱交換を行って空気を冷却する冷房用室内熱交換器と、を有しており、この冷房用室内熱交換器によって冷却された空気により冷房を行うことができる。また、廃熱回収空調装置は、動力発生ユニット及び／又は給電ユニットから発生する廃熱により冷媒流路内の冷媒が加温されるのを防止する加温防止手段を有しているので、冷房時に冷媒が加温されることがないため、冷房効率を向上させることができる。
【００１５】
請求項５に記載の発明は、請求項４に記載の廃熱回収空調装置において、
前記加温防止手段は、
前記動力発生ユニット及び／又は前記給電ユニットから発生する廃熱により加温された前記冷却水が前記水熱交換器に達するのを阻止する温水制御弁を有することを特徴とする
【００１６】
請求項６に記載の発明は、鉄道車両であって、
車輪を回転駆動するための駆動力を発生させる動力発生ユニットと、
請求項１から５の何れか一項に記載の廃熱回収空調装置と、
を備えることを特徴とする。
【００１７】
請求項７に記載の発明は、請求項６に記載の鉄道車両において、
前記動力発生ユニットは、
エンジンと、前記エンジンの回転力で駆動されて電力を発生させる発電機と、を有し、
前記発電機によって発生した駆動電力を前記車輪の回転駆動力に変換する動力変換ユニット備えることを特徴とする。
【００１８】
請求項８に記載の発明は、請求項６に記載の鉄道車両において、
前記動力発生ユニットは、
エンジンを有し、
前記エンジンの駆動力を前記車輪に伝達して前記車輪を回転駆動する動力伝達装置を備えることを特徴とする。
【００１９】
請求項９に記載の発明は、鉄道車両であって、
各種サービス機器に供給される電力を発生させる給電ユニットと、
請求項１から５の何れか一項に記載の廃熱回収空調装置と、
を備えることを特徴とする。
【発明の効果】
【００２０】
本発明によれば、鉄道車両の動力発生ユニット及び／又は給電ユニットから発生する廃熱を暖房用の熱源として有効利用することができ、「快適な暖房」、「省資源化」及び「高加速動力性能の向上」を実現させることができる。
【発明を実施するための最良の形態】
【００２１】
以下、本発明の実施の形態について、図面を参照しながら説明する。
【００２２】
まず、図１及び図２を用いて、本発明の実施の形態に係る鉄道車両１の全体構成について説明する。
【００２３】
鉄道車両１は、車体の前方及び後方に配設された車軸２ａを介して設けられた軌道走行用の車輪２、前方に設けられた車輪２を歯車装置３ａ及び車軸２ａを介して回転駆動する電動機３、電動機３に電力変換装置４ａを介して電力を供給する発電機４、発電機４を駆動するエンジン５、エンジン５に供給される燃料を貯留する燃料タンク６、回生電力を回収するとともに電動機３に電力変換装置４ａを介して電力を供給する蓄電装置７、ヒートポンプ式冷凍サイクル（以下「冷凍サイクル」という）２０による冷房を行う一方、発電機４及びエンジン５から構成される動力発生ユニットから発生する廃熱を回収しこの廃熱で暖房を行う廃熱回収空調装置８、等を備えて構成されている。なお、電動機３及び電力変換装置４ａは本発明における動力変換ユニットを構成し、発電機３によって発生した駆動電力を車輪２の回転駆動力に変換する。
【００２４】
次に、図２を用いて、本実施の形態に係る廃熱回収空調装置８の構成について説明する。
【００２５】
廃熱回収空調装置８は、図２に示すように、動力発生ユニット（発電機４及びエンジン５）を冷却するための冷却水を環流させる温水回路１０、冷房・暖房両用の冷凍サイクル２０、動力発生ユニットから発生する廃熱により加温された冷却水（以下「温水」という）の温度に基づいて冷凍サイクル２０の動作を自動的に制御する図示されていない制御装置、等を備えて構成されている。
【００２６】
温水回路１０は、図２に示すように、動力発生ユニットを冷却するための冷却水を流通させる冷却水流路１１に、温水と熱交換を行って加熱される温水ヒータコア１２、温水と冷凍サイクル２０の冷媒との間で熱交換を行う水熱交換器１３、温水を遮断してこの温水が温水ヒータコア１２及び水熱交換器１３に達するのを阻止する温水制御弁１４、温水制御弁１４により遮断された温水を動力発生ユニット側に戻すバイパス回路１５、水熱交換器１３を通過した温水や温水制御弁１４により遮断された温水を冷却するラジエータ１６、等が設けられてなるものである。
【００２７】
温水制御弁１４は、動力発生ユニットから発生する廃熱により冷凍サイクル２０の冷媒流路２１内の冷媒が加温されるのを防止するものであり、本発明における加温防止手段である。また、冷却水流路１１には、図２に示すように、温水制御弁１４によりバイパス回路１５側に流された温水や、水熱交換器１３を通過して動力発生ユニット側に戻された温水の温度に応じて、温水の流路を制御するサーモ弁１７が設けられている。サーモ弁１７は、流入する温水が所定の閾値（例えば７０℃）以上の高温である場合には、温水を全てラジエータ１６側に流して冷却した上で動力発生ユニットに戻すことにより、動力発生ユニットのオーバーヒートを未然に防止する。一方、サーモ弁１７は、流入する温水が所定の閾値（例えば６５℃）以下の低温である場合には、温水を全てバイパス回路１５に流すことにより、動力発生ユニットの過冷却を未然に防止する。
【００２８】
冷凍サイクル２０は、図２に示すように、冷媒を流通させる冷媒流路２１に、温水と冷媒との間で熱交換を行う水熱交換器１３、冷媒と外気との間で熱交換を行って冷媒を冷却する室外熱交換器２２、室外熱交換器２２により冷却された冷媒と熱交換を行って空気を冷却する一方、水熱交換器１３により加温された冷媒と熱交換を行って空気を加熱する冷房・暖房両用の室内熱交換器２３、冷媒を圧縮する冷媒圧縮機２４、冷房時と暖房時とで冷媒の流路を変更する電動四方弁２５、等が設けられてなるものである。かかる冷凍サイクル２０により、冷房と暖房との双方を実現させることができる。
【００２９】
制御装置は、温水の温度が所定の第１閾値（８０℃）以上である場合に、冷凍サイクル２０を停止させて、温水回路１０の温水ヒータコア１２によって加熱された空気により暖房を行う。また、制御装置は、温水の温度が所定の第２閾値（６０℃）以上第１閾値未満である場合に、冷凍サイクル２０を作動させて、温水回路１０の温水ヒータコア１２及び冷凍サイクル２０の室内熱交換器２３によって加熱された空気により暖房を行う。また、制御装置は、温水の温度が第２閾値未満である場合にも冷凍サイクル２０を作動させて、冷凍サイクル２０の室内熱交換器２３によって加熱された空気により暖房を行う。
【００３０】
なお、温水の温度は、温水ヒータコア１２の出口付近に設けられた図示されていない温度計によって計測され、制御装置に伝送されて冷凍サイクル２０の制御に使用される。また、温水ヒータコア１２及び／又は室内熱交換器２３によって加熱された空気は、図示されていない送風ファンによって外部に排出される。
【００３１】
続いて、図３〜図８を用いて、本実施の形態に係る廃熱回収空調装置８の動作について説明する。
【００３２】
＜暖房運転動作＞
最初に、図３〜図６を用いて、廃熱回収空調装置の暖房運転動作について説明する。
【００３３】
廃熱回収空調装置８の暖房運転を行う場合には、まず、温水回路１０の温水制御弁１４を開放し（制御弁開放工程：Ｓ１）、温水を図３〜図５の矢印Ａの方向に流して温水ヒータコア１２及び水熱交換器１３に供給する。次いで、制御装置は、温度計を介して温水ヒータコア１２の出口付近における温水の温度を計測し、計測した温度が第１閾値（８０℃）未満であるか否かを判定する（第１次温度判定工程：Ｓ２）。
【００３４】
制御装置は、第１次温度判定工程Ｓ２において温水温度が第１閾値以上であると判定した場合に、冷凍サイクル２０による暖房（ヒートポンプ暖房）が不要であると判断し、冷凍サイクル２０の冷媒圧縮機２４等を停止させる（冷凍サイクル停止工程：Ｓ３）。その後、図３に示すように、温水回路１０の温水ヒータコア１２は第１閾値以上の温水と熱交換を行って加熱され、この温水ヒータコア１２によって加熱された空気が送風ファンによって外部に排出されて、温風暖房が実現される（温水ヒータコア暖房工程：Ｓ４）。
【００３５】
一方、制御装置は、第１次温度判定工程Ｓ２において温水温度が第１閾値未満であると判定した場合に、ヒートポンプ暖房が必要であると判断し、冷凍サイクル２０の冷媒圧縮機２４等の運転を開始させる（冷凍サイクル運転工程：Ｓ５）。冷凍サイクル運転工程Ｓ５においては、冷凍サイクル２０の電動四方弁２５を暖房用に切り替え、冷媒を図４及び図５の矢印Ｂの方向に循環させ、水熱交換器１３で温水と冷媒との間で熱交換を行って冷媒を加温する。そして、加温された冷媒を冷媒圧縮機２４で圧縮し、この高圧の冷媒を室内熱交換器２３で凝縮させて空気を加熱する。
【００３６】
次いで、制御装置は、温度計を介して温水ヒータコア１２の出口付近における温水の温度を計測し、計測した温度が第２閾値（６０℃）以上であるか否かを判定する（第２次温度判定工程：Ｓ６）。
【００３７】
制御装置は、第２次温度判定工程Ｓ６において温水温度が第２閾値以上であると判定した場合に、温水ヒータコア１２による暖房とヒートポンプ暖房との双方が可能であると判断し、冷媒圧縮機２４等の作動電力を低減させる。そして、図４に示すように、温水回路１０の温水ヒータコア１２と、冷凍サイクル２０の室内熱交換器２３とによって加熱した空気を送風ファンによって外部に排出して、温風暖房を実現させる（併用暖房工程：Ｓ７）。
【００３８】
一方、制御装置は、第２次温度判定工程Ｓ６において温水温度が第２閾値未満であると判定した場合に、温水ヒータコア１２による暖房は不可能であると判断し、冷凍サイクル２０のみで暖房を行う。すなわち、図５に示すように、冷凍サイクル２０の室内熱交換器２３によって加熱された空気を送風ファンによって外部に排出して、温風暖房を実現させる（ヒートポンプ暖房工程：Ｓ８）。
【００３９】
＜冷房運転動作＞
次に、図７及び図８を用いて、廃熱回収空調装置８の冷房運転動作について説明する。
【００４０】
廃熱回収空調装置８の冷房運転を行う場合には、まず、冷凍サイクル２０の電動四方弁２５を冷房用に切り替え、冷媒を図７の矢印Ｃの方向に循環させる（四方弁切替工程：Ｓ１１）。次いで、温水回路１０の温水制御弁１４を閉じ（制御弁閉鎖工程：Ｓ１２）、温水を図７の矢印Ｄの方向に流し、バイパス回路１５又はラジエータ１６を経由させて動力発生ユニットに戻す。この際、サーモ弁１７の機能により、高温の温水は全てラジエータ１６側に流され冷却された上で動力発生ユニットに戻される一方、低温の温水は全てバイパス回路１５に流されて動力発生ユニットに戻されることとなる。
【００４１】
次いで、制御装置は、冷凍サイクル２０の冷媒圧縮機２４等の運転を開始させる（冷凍サイクル運転工程：Ｓ１３）。冷凍サイクル運転工程Ｓ１３においては、冷媒圧縮機２４により冷媒を圧縮し、この高圧の冷媒を室外熱交換器２２で外気により冷却し、この冷却した冷媒を膨張弁２６で減圧した後、室内熱交換器２３で蒸発させて空気を冷却する。そして、室内熱交換機２３によって冷却した空気を送風ファンによって外部に排出して、冷房を実現させる（冷房工程：Ｓ１４）。
【００４２】
以上説明した実施の形態に係る廃熱回収空調装置８は、動力発生ユニットから発生する廃熱により加温された冷却水（温水）と熱交換を行って加熱される温水ヒータコア１２を有し、この温水ヒータコア１２によって加熱された空気により暖房を行うことができる。すなわち、動力発生ユニットから発生する廃熱のエネルギを温水ヒータコア１２に蓄え、この温水ヒータコア１２によって安定した快適な温風暖房を実現させることができる。また、電熱器を別途設けて電気暖房を行う必要がなくなるので、省資源化及び高加速動力性能の向上を実現させることができる。
【００４３】
また、以上説明した実施の形態に係る廃熱回収空調装置８は、動力発生ユニットから発生する廃熱により加温された冷却水（温水）と冷媒との間で熱交換を行う水熱交換器１３と、水熱交換器１３により加温された冷媒と熱交換を行って空気を加熱する室内熱交換器２３と、を有し、この室内熱交換器２３によって加熱された空気により暖房を行うことができる。すなわち、動力発生ユニットから発生する廃熱のエネルギを、水熱交換器１３を介して室内熱交換器２３に蓄え、この室内熱交換器２３によって安定した快適な温風暖房を実現させることができる。また、電熱器を別途設けて電気暖房を行う必要がなくなるので、省資源化及び高加速動力性能の向上を実現させることができる。
【００４４】
また、以上説明した実施の形態に係る廃熱回収空調装置８は、動力発生ユニットから発生する廃熱により加温された冷却水（温水）の温度が所定の第１閾値（８０℃）以上である場合には、温水ヒータコア１２によって加熱された空気により暖房を行い、温水の温度が所定の第２閾値（６０℃）以上第１閾値（８０℃）未満である場合には、温水ヒータコア１２及び室内熱交換器２３によって加熱された空気により暖房を行い、温水の温度が第２閾値（６０℃）未満である場合には、室内熱交換器２３によって加熱された空気により暖房を行うことができる。従って、動力発生ユニットから発生する廃熱の温度が変動したり低温となったりした場合においても、きわめて安定的な温風暖房を実現させることができる。また、動力発生ユニットから発生する廃熱の温度が高い（第１閾値以上）場合には、室内熱交換器２３を作動させる必要がないので、その分の電力を削減することができ、省資源化が可能となる。
【００４５】
また、以上説明した実施の形態に係る廃熱回収空調装置８は、冷媒流路２１内の冷媒と外気との間で熱交換を行って冷媒を冷却する室外熱交換器２２と、室外熱交換器２２により冷却された冷媒と熱交換を行って空気を冷却する室内熱交換器２３と、を有しており、この室内熱交換器２３によって冷却された空気により冷房を行うことができる。また、廃熱回収空調装置８は、動力発生ユニットから発生する廃熱により冷媒流路２１内の冷媒が加温されるのを防止する加温防止手段（温水制御弁１４）を有しているので、冷房時に冷媒が加温されることがないため、冷房効率を向上させることができる。
【００４６】
なお、以上の実施の形態においては、温水ヒータコア暖房から併用暖房へと切り替える際の温水の温度（第１閾値）を「８０℃」に設定するとともに、併用暖房からヒートポンプ暖房へと切り替える際の温水の温度（第２閾値）を「６０℃」に設定したが、これら「第１閾値」及び「第２閾値」は、車両の仕様等に応じて適宜変更することができる。
【００４７】
また、以上の実施の形態においては、発電機４及びエンジン５から構成される動力発生ユニットを備えたいわゆる「ハイブリッド型」の鉄道車両１に本発明を適用した例を示したが、図９に示すような気動車（エンジン５Ａを有する動力発生ユニットにより発生させた駆動力を動力伝達装置４Ａを介して車輪２Ａに伝達して車輪２Ａを回転駆動する鉄道車両）１Ａにも本発明を適用することができる。気動車１Ａにおいては、エンジン５Ａ及び図示されていない各種周辺機器を有する動力発生ユニットから発生する廃熱を廃熱回収空調装置８Ａで回収して、暖房を行うことができる。廃熱回収空調装置８Ａの構成は、前記実施の形態と同一のものを採用することができる。
【００４８】
また、以上の実施の形態においては、動力発生ユニットを備えた鉄道車両１に本発明を適用した例を示したが、図１０に示すように、各車両のサービス機器９Ｂに電力を供給するための給電ユニット（発電機４Ｂ及びエンジン５Ｂから構成されるもの）を備えた鉄道車両１Ｂに本発明を適用することもできる。鉄道車両１Ｂにおいては、給電ユニットから発生する廃熱を廃熱回収空調装置８Ｂで回収して、暖房を行うことができる。廃熱回収空調装置８Ｂの構成は、前記実施の形態と同一のものを採用することができる。
【図面の簡単な説明】
【００４９】
【図１】本発明の実施の形態に係る鉄道車両（ハイブリッド型の鉄道車両）の全体構成を説明するための説明図である。
【図２】本発明の実施の形態に係る廃熱回収空調装置の構成を説明するためのブロック図である。
【図３】図２に示した廃熱回収空調装置の温水ヒータコア暖房運転を説明するための説明図である。
【図４】図２に示した廃熱回収空調装置の併用暖房運転を説明するための説明図である。
【図５】図２に示した廃熱回収空調装置のヒートポンプ暖房運転を説明するための説明図である。
【図６】図２に示した廃熱回収空調装置の暖房運転の手順を説明するためのフローチャートである。
【図７】図２に示した廃熱回収空調装置の冷房運転を説明するための説明図である。
【図８】図２に示した廃熱回収空調装置の冷房運転の手順を説明するためのフローチャートである。
【図９】本発明の実施の形態に係る廃熱回収空調装置を搭載した他の鉄道車両（気動車）の全体構成を説明するための説明図である。
【図１０】本発明の実施の形態に係る廃熱回収空調装置を搭載した他の鉄道車両（給電ユニットを備えた鉄道車両）の全体構成を説明するための説明図である。
【符号の説明】
【００５０】
１、１Ａ、１Ｂ  鉄道車両
２、２Ａ、２Ｂ  車輪
３              電動機（動力変換ユニットの一部）
４              発電機（動力発生ユニットの一部）
４ａ            電力変換装置（動力変換ユニットの一部）
４Ａ            動力伝達装置
４Ｂ            発電機（給電ユニットの一部）
５、５Ａ        エンジン（動力発生ユニットの一部）
５Ｂ            エンジン（給電ユニットの一部）
８、８Ａ、８Ｂ  廃熱回収空調装置
９Ｂ            サービス機器
１１            冷却水流路
１２            温水ヒータコア
１３            水熱交換器
１４            温水制御弁（加温防止手段）
２１            冷媒流路
２２            室外熱交換器
２３            室内熱交換器
【図１】
2006248275.tif 000003
【図２】
2006248275.tif 000004
【図３】
2006248275.tif 000005
【図４】
2006248275.tif 000006
【図５】
2006248275.tif 000007
【図６】
2006248275.tif 000008
【図７】
2006248275.tif 000009
【図８】
2006248275.tif 000010
【図９】
2006248275.tif 000011
【図１０】
2006248275.tif 000012